(57)【要約】【課題】  所望の操作ストロークを確保しつつ小型化が可能で、操作フィーリングの良好な可動接点付シート及びこれを用いた押釦スイッチを提供する。【解決手段】  ドーム状の膨出部３ｃを有し、膨出部３ｃの下端周縁部３ａの対向する一方の両側面部が切り欠かれて長尺状に形成された可動接点３と、可動接点３を収容可能な収容孔１ａを有する第１のシート１と、裏面に粘着部４ａを有しこの粘着部４ａで可動接点３の一部を保持すると共に、第１のシート１の収容孔１ａの上面を塞ぐ第２のシート４とを備え、第１のシート１の収容孔１ａを、幅広部と幅狭部とからなる長尺状に形成し、可動接点３の幅狭に形成された両側面部を、収容孔１ａの幅狭部に対応させて可動接点３を収容孔１ａに収容した。【選択図】        図１
2005183140.tif 000002
【特許請求の範囲】
【請求項１】
ドーム状の膨出部を有し、この膨出部の下端周縁部の対向する一方の両側面部が切り欠かれて長尺状に形成された可動接点と、この可動接点を収容可能な収容孔を有する第１のシートと、裏面に粘着部を有しこの粘着部で前記可動接点の一部を保持すると共に、前記第１のシートの収容孔の上面を塞ぐ第２のシートとを備え、前記第１のシートの収容孔を、幅広部と幅狭部とからなる長尺状に形成し、前記可動接点の幅狭に形成された両側面部を、前記収容孔の幅狭部に対応させて前記可動接点を前記収容孔に収容したことを特徴とする可動接点付シート。
【請求項２】
前記収容孔の内壁と前記可動接点の外周との間には所定の空隙を設け、この空隙を、前記収容孔の幅広部の内壁と対向する前記可動接点の外周との空隙に対して、前記収容孔の幅狭部の内壁と対向する前記可動接点の外周との空隙の方を大きく形成したことを特徴とする請求項１記載の可動接点付シート。
【請求項３】
前記第１のシートに、前記収容孔を複数個形成し、これらの収容孔に前記可動接点を複数個収容すると共に、隣接する前記収容孔の幅狭部同士、及び隣接する前記可動接点の幅狭部同士を互いに対向させて複数組み配列したことを特徴とする請求項１、又は２記載の可動接点付シート。
【請求項４】
前記第１のシートの裏面に粘着部を設け、この粘着部に剥離シートを剥離可能に覆着したことを特徴とする請求項３記載の可動接点付シート。
【請求項５】
前記第１のシートには、隣接する前記収容孔同士の内壁間に空気流路用の連結溝を形成し、前記収容孔及び前記連結溝の上面側を前記第２のシートで覆うと共に、下面側には、前記収容孔及び前記連結溝の下面側を覆う保護シートを設けたことを特徴とする請求孔４記載の可動接点付シート。
【請求項６】
前記連結溝の連結方向を、前記収容孔に収容された前記可動接点の長尺方向に沿って設けたことを特徴とする請求項５記載の可動接点付シート。
【請求項７】
前記可動接点は、下端周縁部から所定の角度で立ち上がるスカート部と、このスカート部に連続する反転可能なドーム状の膨出部とを備え、前記スカート部の下端周縁部を、前記スカート部に連続するドーム状の膨出部の中心によって形成される円弧よりも大きな円弧で形成し、この下端周縁部の円弧の両端部を絶縁基板の固定接点上に載置するようにしたことを特徴とする請求項１記載の可動接点付シート。
【請求項８】
請求項１乃至７の何れかに記載の可動接点付シートと、この可動接点付シートに収容された前記可動接点の下端周縁部が載置される周辺固定接点と、この周辺固定接点に隣接して配設され、前記可動接点のドーム状膨出部の頂部下面が接離可能に対向して配置された中央固定接点と、前記周辺固定接点及び前記中央固定接点が配設された絶縁基板とを備えたことを特徴とする押釦スイッチ。
【発明の詳細な説明】
【技術分野】
【０００１】
本発明は、各種電子機器の操作用スイッチとして使用される押釦スイッチの構造に係り、特に押圧されることによりドーム状の膨出部が反転して接点の接離を行なう可動接点付シート及び押釦スイッチの構造に関する。
【背景技術】
【０００２】
従来の可動接点付シート及び押釦スイッチの構造としては、円形ドーム状の複数の可動接点を粘着シートに貼付けた可動接点付シートを基板上に配置したシートタイプの押釦スイッチの構造が知られている（例えば、特許文献１参照）。
【０００３】
この従来の可動接点付シート及び押釦スイッチの構造を図７、図８に示す。図７は従来の可動接点付シートの分解斜視図、図８は従来の可動接点付シートを用いた押釦スイッチの要部断面図である。
【０００４】
図において、複数個の可動接点５１は、ステンレス材やリン青銅等のバネ性を有する円形ドーム状の薄板の金属からなり、頂部からの押圧力に対して変位可能になっている。そして、可動接点５１は、ドーム状内に貫通する孔が存在せず、その中央部にはドーム状内に突出して形成された接点部５１ａを有している。
【０００５】
粘着シート５２は、ポリエステル樹脂等のフィルム材からなり、可撓性を有するシート状のシート部５３と、このシート部５３に設けられた複数個の孔５２ａと、この孔５２ａを除くシート部５３の下面に形成された非粘着部からなる気道部５５を除く部分に設けられた粘着剤５４とから構成されている。
【０００６】
気道部５５は、粘着剤５４をシート部５３の下面にスクリーン印刷することによって形成されており、その少なくとも一端が、粘着シート５２の孔５２ａ、又は粘着シート５２の外周端縁５２ｂに位置する気道口５６に繋がっている。そして、可動接点５１は、上面が粘着シート５２の粘着剤５４に貼着され、可動接点５１の上面、および可動接点５１の端部５１ｂの少なくとも一部が気道部５５上に載置された状態で貼着されている。
【０００７】
セパレータ５７は、粘着シート５２と略同形状のポリエステルフィルムからなり、その上下面に貫通して形成された複数個の孔５７ａを有している。また、セパレータ５７は、粘着シート５２の粘着剤５４によって、粘着シート５２の孔５２ａと孔５７ａが対向し、重なり合うように、粘着シート５２の下面に貼着されている。そして、このセパレータ５７は、粘着シート５２とで可動接点５１を挟持すると共に、可動接点５１の下面を保護することによって、可動接点付シート５８を構成している。
【０００８】
粘着シート５２の孔５２ａは、図示せぬ発光ダイオード（ＬＥＤ）等の発光素子を露出させるための孔であり、可動接点５１を押圧操作する操作体（図示せず）を、シート部５３で光を効率よく反射させて照光できる。
【０００９】
図８は押釦スイッチを示し、絶縁基板５９は、ポリイミドフィルム等のフレキシブル基板からなり、その表面には、銅箔からなる円形をした第一の固定接点５９ａと、この第一の固定接点５９ａを取り囲む略Ｃ字状をした第二の固定接点５９ｂがエッチングにて形成されている。
【００１０】
そして、可動接点付シート５８の粘着シート５２の下面に貼着されたセパレータ５７を剥がすことにより、粘着シート５２の粘着剤５４を露出させ、可動接点５１の端部５１ｂを第二の固定接点５９ｂに対向させて、粘着シート５２が絶縁基板５９の上面に貼着される。この時、可動接点５１は、端部５１ｂの周縁が第二の固定接点５９ｂに常時接触する状態で、絶縁基板５９の表面に載置された状態となる。
【００１１】
【特許文献１】特開２００１−１６０３３４号公報
【発明の開示】
【発明が解決しようとする課題】
【００１２】
しかしながら、上述した従来の可動接点付シート及び押釦スイッチの構造においては、可動接点の小型化や、可動接点の配置の狭ピッチ化によるシートタイプの押釦スイッチ全体の小型化のために、より小径サイズの円形ドーム状の可動接点を用いると、その分、膨出部の高さが低くなるため、膨出部が反転するまでの移動量が小さくなり、所望の操作フィーリングを得ることができないという問題があった。
【００１３】
したがって、本発明では上述した問題点を解決し、所望の操作ストロークを確保しつつ小型化が可能で、操作フィーリングの良好な可動接点付シート及びこれを用いた押釦スイッチを提供することを目的とする。
【課題を解決するための手段】
【００１４】
上記課題を解決するために本発明では第１の解決手段として、ドーム状の膨出部を有し、この膨出部の下端周縁部の対向する一方の両側面部が切り欠かれて長尺状に形成された可動接点と、この可動接点を収容可能な収容孔を有する第１のシートと、裏面に粘着部を有しこの粘着部で前記可動接点の一部を保持すると共に、前記第１のシートの収容孔の上面を塞ぐ第２のシートとを備え、前記第１のシートの収容孔を、幅広部と幅狭部とからなる長尺状に形成し、前記可動接点の幅狭に形成された両側面部を、前記収容孔の幅狭部に対応させて前記可動接点を前記収容孔に収容した構成とした。
【００１５】
また、第２の解決手段として、前記収容孔の内壁と前記可動接点の外周との間には所定の空隙を設け、この空隙を、前記収容孔の幅広部の内壁と対向する前記可動接点の外周との空隙に対して、前記収容孔の幅狭部の内壁と対向する前記可動接点の外周との空隙の方を大きく形成した構成とした。
また、第３の解決手段として、前記第１のシートに、前記収容孔を複数個形成し、これらの収容孔に前記可動接点を複数個収容すると共に、隣接する前記収容孔の幅狭部同士、及び隣接する前記可動接点の幅狭部同士を互いに対向させて複数組み配列した構成とした。
【００１６】
また、第４の解決手段として、前記第１のシートの裏面に粘着部を設け、この粘着部に剥離シートを剥離可能に覆着した構成とした。
また、第５の解決手段として、前記第１のシートには、隣接する前記収容孔同士の内壁間に空気流路用の連結溝を形成し、前記収容孔及び前記連結溝の上面側を前記第２のシートで覆うと共に、下面側には、前記収容孔及び前記連結溝の下面側を覆う保護シートを設けた構成とした。
また、第６の解決手段として、前記連結溝の連結方向を、前記収容孔に収容された前記可動接点の長尺方向に沿って設けた構成とした。
【００１７】
また、第７の解決手段として、前記可動接点は、下端周縁部から所定の角度で立ち上がるスカート部と、このスカート部に連続する反転可能なドーム状の膨出部とを備え、前記スカート部の下端周縁部を、前記スカート部に連続するドーム状の膨出部の中心によって形成される円弧よりも大きな円弧で形成し、この下端周縁部の円弧の両端部を絶縁基板の固定接点上に載置するようにした構成とした。  また、第８の解決手段として、第１乃至第７の解決手段の何れかに記載の可動接点付シートと、この可動接点付シートに収容された前記可動接点の下端周縁部が載置される周辺固定接点と、この周辺固定接点に隣接して配設され、前記可動接点のドーム状膨出部の頂部下面が接離可能に対向して配置された中央固定接点と、前記周辺固定接点及び前記中央固定接点が配設された絶縁基板とを備えた構成とした。
【発明の効果】
【００１８】
上述したように、本発明の可動接点付シートは、ドーム状の膨出部を有し、膨出部の下端周縁部の対向する一方の両側面部が切り欠かれて長尺状に形成された可動接点と、可動接点を収容可能な収容孔を有する第１のシートと、裏面に粘着部を有しこの粘着部で可動接点の一部を保持すると共に、第１のシートの収容孔の上面を塞ぐ第２のシートとを備え、第１のシートの収容孔を、幅広部と幅狭部とからなる長尺状に形成し、可動接点の幅狭に形成された両側面部を、収容孔の幅狭部に対応させて可動接点を収容孔に収容したことから、ドーム状の膨出部を有する長尺状に形成された可動接点を、第１のシートの収容孔の幅狭部に対応させて収容したので、ドーム状の膨出部が反転する際の操作ストロークを大きく設定できると共に、小型化が可能となり、良好なフィーリングが得られる。
【００１９】
また、収容孔の内壁と可動接点の外周との間には所定の空隙を設け、この空隙を、収容孔の幅広部の内壁と対向する可動接点の外周との空隙に対して、収容孔の幅狭部の内壁と対向する可動接点の外周との空隙の方を大きく形成したことから、収容孔の幅狭部の内壁と可動接点の外周との空隙が大きいため、第２シートの第１シートとの粘着部を可動接点の幅狭方向の外周から遠ざけることができるので、第２シートの粘着による可動接点の拘束を緩和して、より確実な反転動作が可能となる。
また、第１のシートに、収容孔を複数個形成し、これらの収容孔に可動接点を複数個収容すると共に、隣接する収容孔の幅狭部同士、及び隣接する可動接点の幅狭部同士を互いに対向させて複数組み配列したことから、多数の可動接点を第１のシートに一体に保持できると共に、配列のキーピッチを狭くすることが可能となる。
【００２０】
また、第１のシートの裏面に粘着部を設け、この粘着部に剥離シートを剥離可能に覆着したことから、可動接点付シートの絶縁基板への組立及び取り扱いが容易となり、粘着部への塵埃の付着を防止できる。
また、第１のシートには、隣接する収容孔同士の内壁間に空気流路用の連結溝を形成し、収容孔及び連結溝の上面側を第２のシートで覆うと共に、下面側には、収容孔及び連結溝の下面側を覆う保護シートを設けたことから、可動接点が反転する際、ドーム状の膨出部内に滞在した空気が、連結溝を介して隣接する収容孔に移動するので、収容孔や連結溝の上下をシートで塞ぐことが可能となり、外部からの塵埃の侵入を防止できる。
また、連結溝の連結方向を、収容孔に収容された可動接点の長尺方向に沿って設けたことから、可動接点の反転時に、可動接点の幅狭部近傍の第２のシートの粘着部が、絶縁基板に付着することがなく、確実な復帰が得られると共に、粘着材が接点内部に入り込むのを防止できる。
【００２１】
また、可動接点は、下端周縁部から所定の角度で立ち上がるスカート部と、スカート部に連続する反転可能なドーム状の膨出部とを備え、スカート部の下端周縁部を、スカート部に連続するドーム状の膨出部の中心によって形成される円弧よりも大きな円弧で形成し、この下端周縁部の円弧の両端部を絶縁基板の固定接点上に載置するようにしたことから、円弧の両端部によってスカート部の下端周縁部を固定接点面から浮かすことができるので、ストロークを更に大きくできる。また、可動接点の設置を安定して行なえる。
また、第１乃至第７の解決手段の何れかに記載の可動接点付シートと、可動接点付シートに収容された可動接点の下端周縁部が載置される周辺固定接点と、周辺固定接点に隣接して配設され、可動接点のドーム状膨出部の頂部下面が接離可能に対向して配置された中央固定接点と、周辺固定接点及び中央固定接点が配設された絶縁基板とを備えたことから、信頼性を高め、所望のストロークを確保しつつ小型化が可能な押釦スイッチを提供できる。
【発明を実施するための最良の形態】
【００２２】
以下、本発明の可動接点付シート及び押釦スイッチの実施形態を図１乃至図６に示す。図１は本発明の可動接点付シートの平面図、図２は可動接点付シートの収容孔部分の要部説明図、図３は可動接点の平面図、図４は可動接点付シートの要部断面図、図５は可動接点付シートを用いた押釦スイッチの長手方向の要部断面図、図６は可動接点付シートを用いた押釦スイッチの短手方向の要部断面図である。
【００２３】
図１乃至図４において、第１のシート１は、ポリエステル樹脂等のフィルム材で略長方形状に形成されており、その長手方向及び短手方向には、上下に貫通する収容孔１ａが縦横に複数個配列されている。また、この収容孔１ａは、幅広部（図２にＬ１で示す）と幅狭部（図２にＬ２で示す）とからなる長尺状の小判型に形成されており、この長尺方向、及びこれと直交する方向に隣接する収容孔１ａの幅広部、及び幅狭部同士が、互いに対向した状態で縦横に複数個配列されている。
【００２４】
また、前記第１のシート１には、隣接する前記収容孔１ａ同士の内壁間に空気流路用の連結溝１ｂが形成されている。この連結溝１ｂは、前記収容孔１ａと同じく上下に貫通されており、長尺方向に隣接する収容孔１ａの幅広部同士が対向する間に形成されている。また、後述する可動接点３が前記収容孔１ａに収容された場合に、この可動接点３の長尺方向に沿って設けられている。また、前記第１のシート１の裏面には、接着剤が塗布された粘着部２が設けられている。
【００２５】
前記第１のシート１の収容孔１ａには、可動接点３が収容されている。この可動接点３は、導電性の薄板金属板からなり、中央に反転可能な膨出部を有するドーム状に形成されている。すなわち、可動接点３は、後述する固定接点７の周辺固定接点７ｂ上へ載置される下端周縁部３ａと、この下端周縁部３ａから所定の角度で立ち上がるスカート部３ｂと、このスカート部３ｂに連続する反転可能なドーム状の膨出部３ｃとを備えている。
【００２６】
また、前記スカート部３ｂは、可動接点３の対向する一方の両側面部が平行に切り欠かれることにより、両側面部に開口部３ｄを有する長尺状に形成されており、前記下端周縁部３ａは前記膨出部３ｃを挟んで対向する位置に一対それぞれ形成されたものとなっている。また、前記下端周縁部３ａの外周を構成する円中心と、前記スカート部３ｂに連続するドーム状の膨出部３ｃの頂部とは互いに異なるように形成されており、下端周縁部３ａの外周円の大きさは、スカート部３ｂに連続するドーム状の膨出部３ｃの中心によって形成される外周円の大きさに比べて大きな円弧となるように形成されている。
【００２７】
また、前記スカート部３ｂの下端周縁部３ａの円弧の両端部は、スカート部３ｂがドーム状の膨出部３ｃの頂部を中心とした円弧の軌跡に対して、大きな円弧となるように形成されていることから、この両端部は外方に膨らんで形成されており、この両端部が後述する固定接点７の周辺固定接点７ｂ上に載置されて接続される当接部３ｅとなっている。
また、ドーム状の膨出部３ｃの裏面には、ドーム中央をさけて複数の突起部が仮想環状線上に独立して設けられており、接点部３ｆを形成している。これら接点部３ｆによって囲まれたドーム頂部が撓むように外部から押圧することで何れかの接点部に異物が仮に挟まっても他の接点部が中央固定接点７ａと接触することが可能となる。
【００２８】
上記構成の可動接点３は、固定接点７上に載置された際、前記当接部３ｅが周辺固定接点７ｂに当接され、スカート部３ｂに連続するドーム状の膨出部３ｃが中央固定接点７ａと離間された状態で対向されて配置されるものとなる。この時、可動接点３はスカート部３ｂの両側面部が平行に切り欠かれて長尺状に形成されているが、スカート部３ｂ及びこれに連続するドーム状の膨出部３ｃは長尺方向の長さを基準にして外周円の大きさが形成されている。また、前記スカート部３ｂの下端周縁部３ａの円弧の両端部には、外方に膨らんだ当接部３ｅが形成されている。
【００２９】
このように、可動接点３を、両側面部に開口部３ｄを設けた長尺状に形成したので、スカート部３ｂおよび連接するドーム状の膨出部３ｃを大径に形成できるので、所望のストロークを確保しつつ小型化が可能な可動接点３を提供できるものとなっている。また、複数の突起部からなる接点部３ｆを形成しつつ、所望のストロークも確保でき、接触信頼性の高い可動接点を提供できる。また、可動接点３を収容する前記第１のシート１の収容部１ａを、可動接点３の外形に合わせて長尺状の小判型に形成できるため、収容部１ａを幅狭部方向に配列する配列ピッチを小さく形成できるので、可動接点付シートの小型化が可能となっている。
尚、上記実施例では、可動接点３の開口部３ｄを平行に切り欠いた形状としたもので説明したが、これに代えて弧状に切り欠いても良く、この場合であっても開口部３ｄ側が幅狭な長尺状形成することができる。
【００３０】
また、前記収容孔１ａの内壁と前記可動接点３の外周との間には所定の空隙が維持されて形成されている。この空隙は、前記収容孔１ａの幅広部の内壁と前記可動接点３の幅広部の外周との空隙（図２にＳ１で示す）に比べて、前記収容孔１ａの幅狭部の内壁と前記可動接点３の幅狭部の外周との空隙（図２にＳ２で示す）の方が大きく（Ｓ１＜Ｓ２）なるように形成されている。
【００３１】
また、スカート部３ｂの下端周縁部３ａを、スカート部３ｂに連続するドーム状の膨出部３ｃの中心によって形成される円弧よりも大きな円弧で形成し、下端周縁部３ａの円弧の両端部に膨らんで設けられた当接部３ｅを周辺固定接点７ｂ上に載置するようにしたことから、この円弧の両端部の当接部３ｅによってスカート部３ｂの下端周縁部３ａを周辺固定接点面７ｂの上面から浮かすことができ、この分ストロークを更に大きくできるので、可動接点３の設置を安定して行なえるものとなる。
【００３２】
第２のシート４は、同じくポリエステル樹脂等のフィルム材で前記第１のシート１と同様に略長方形状に形成されている。この第２のシート４には、裏面に接着剤が塗布された粘着部４ａが形成されており、この粘着部４ａで、前記可動接点３のドーム状の膨出部３ｃ上面を保持すると共に、前記第１のシート１の収容孔１ａの上面を塞いだ状態で前記第１のシート１の上面側に貼着されている。
【００３３】
また、前記第１のシート１の接着剤が塗布された粘着部２側（下面側）には、同じくポリエステル樹脂等のフィルム材で形成された剥離シート５が貼着されている。この剥離シート５は、前記可動接点３が後述する絶縁基板６の固定接点７上に載置されるまでの搬送や組立の間、前記可動接点３を保護するものとなっている。上述したように、可動接点付シートが構成されている。
【００３４】
このように、前記可動接点３を、隣接する開口部３ｄ同士を対向させて横長状にして、前記第１のシート１の収容孔１ａに複数個収容することで可動接点付シートの狭ピッチ化が可能となっている。また、第１のシート１の下面側が、前記保護用の剥離シート５で覆われていることから、搬送や準備の取扱い及び組立を簡単にでき、作業性が向上されるものとなっている。
本実施例では、前記剥離シート５を、可動接点付シートの搬送、組立時のキャリアテープとして使用しており、剥離シート５の長手方向の対向する両側部には、自動機のガイドピン用の孔５ａが形成されている。
【００３５】
尚、組立工程の都合上、前記第１のシート１に貫通孔からなる収容孔１ａ及び連結溝１ｂを形成する際に、前記剥離シート５に第１のシート１を貼着した後、同時に収容孔１ａ及び連結溝１ｂを打ち抜き形成することも可能で、このようにした場合には、この剥離シート５にも貫通孔が形成されるものとなるが、この場合には、前記収容孔１ａに前記可動接点３を収容した後、剥離シート５の下面側にこれら貫通孔を塞ぐ保護シート（図示せず）を設けるようにすれば良い。
【００３６】
この保護シートを設けることにより、前記収容孔１ａや連結溝１ｂからなる貫通孔の上下をシートで塞ぐことが可能となり、外部からの塵埃の侵入を防止できるものとなる。また、この保護シートは前記剥離シート５と共に可動接点付シートの絶縁基板６への組立時に前記第１のシート１から剥離されるものとなっている。
【００３７】
また、前記第２のシート４は、前記第１のシート１と同様に略長方形状の１枚シートで形成するようにしたが、代わりに、複数個の小片からなる個別シート（図示せず）で各々形成して、この個別シートにより、個々に前記第１のシート１の収容部１ａに収容された可動接点３の上面を保持すると共に、前記収容孔１ａの上面を塞いだ状態で、個々に前記第１のシート１の上面側に貼付けるようにしても良い。
【００３８】
上記構成の可動接点付シートは、前記第１のシート１の収容孔１ａを、幅広部と幅狭部とからなる長尺状に形成して、前記可動接点３の幅狭に形成された両側面部を、前記収容孔１ａの幅狭部に対応させて前記可動接点３を収容孔１ａに収容するようになっており、ドーム状の膨出部３ｃを有する長尺状に形成された前記可動接点３を、前記第１のシート１の収容孔１ａの幅狭部に対応させて収容したので、ドーム状の膨出部３ｃが反転する際の操作ストロークを大きく設定できると共に、小型化が可能となり、良好なフィーリングが得られるものとなっている。すなわち、可動接点３を幅狭に形成された両側面部の間隔と同じ直径のドーム状可動接点としたものに比べ、膨出部の高さを高くでき、その分操作ストロークを大きく確保することが可能となる。
【００３９】
図５及び図６は、可動接点付シートを用いた押釦スイッチの構成を示しており、基台となる絶縁基板６は、フェノール樹脂などの積層板から形成され、この絶縁基板６の上面には、カーボンあるいは銀箔などの導電性の材料で印刷された固定接点７が形成されている。この固定接点７は、中央に設けられた中央固定接点７ａと、この中央固定接点７ａを挟んで両側に対向して配設された周辺固定接点７ｂとから構成されている。
尚、周辺固定接点７ｂは一対対向して配置しても、櫛歯状もしくは環状に連結して配置しても良い。また、周辺固定接点７ｂは一対対向せずに一ヶ所だけに配置するようにしても良い。
【００４０】
前記絶縁基板６上に、上述した可動接点付シートが載置される際には、前記剥離シート５が前記第１のシート１の粘着部２側（下面側）から剥離され、第１のシート１の粘着部２によって第１のシート１が絶縁基板６に貼着されるものとなる。この時、前記可動接点３の当接部３ｅが、前記周辺固定接点７ｂに当接されると共に、ドーム状の膨出部３ｃ裏面の複数の突起部からなる接点部３ｆが、前記中央固定接点７ａと離間された状態で対向されて配置されるものとなる。
【００４１】
上記構成の押釦スイッチの動作を説明すると、図５及び図６に示す初期の状態では両固定接点間７ａ、７ｂは非導通でスイッチはオフ状態となっている。ここで、図示しない電子機器などの操作部で第２のシート４の上面側が押圧されると、可動接点３のドーム上の膨出部３ｃが下側に押されて反転するものとなり、この反転によって膨出部３ｃの下面側の接点部３ｆが対向して配置された中央固定接点７ａと接触して、可動接点３を介して中央固定接点７ａと周辺固定接点７ｂとが電気的に導通されオン状態となり信号が出力されるものとなる。
尚、上記電子機器の操作部は、接点部３ｆで囲まれたドーム部を撓ませながら押圧できるような押圧部を設けたものである。操作部はラバーシートに押圧突起を設けたものが好ましく、この場合は、多少のずれがあってもラバーシートの押圧突起が変形しながら前記ドーム部を撓ませることができる。これにより、接点部３ｆを確実に中央固定接点７ｂに当接させることができる。
【００４２】
この時、収容孔１ａ内に滞在していた空気は、可動接点３の反転に伴い、前記連結溝１ｂを介して、連結された隣接する他の収容孔１ａへと流出するものとなる。このため、可動接点３が反転する際の動作を阻害する虞がなく、良好な反転動作が得られるものとなっている。
この場合は、反転によって移動する空気が、隣接する収容孔１ａに流入するだけなので、第１及び第２のシート１、４外部からの接点内への異物の侵入を防止できる。尚、良好な反転動作を得る手段としては、連結溝１ｂに代えて、第２のシート４又は絶縁基板６に収容孔１ａと連通する空気孔を設けることも可能である。
【００４３】
また、この場合、前記収容孔１ａの内壁と可動接点３の外周との間には所定の空隙を設けるようにしてあり、この空隙は、前記収容孔１ａの幅広部の内壁と可動接点３の外周との空隙Ｓ１に対して、収容孔１ａの幅狭部の内壁と可動接点３の外周との空隙Ｓ２の方が大きくなるように形成してある。このように、前記収容孔１ａの幅狭部の内壁と可動接点３の外周との空隙Ｓ２を大きくすることにより、前記第２シート４の第１シート１との粘着部４ａを可動接点３の幅狭方向の外周から遠ざけることができるので、第２シート４の粘着による可動接点３の拘束を緩和して、より確実な反転動作が可能となっている。
【００４４】
次に、上記状態から、前記第２のシート４の押圧が解除されると、可動接点３が自身のばね力で上方向へ反転し、この反転によって膨出部３ｃの下面側の接点部が中央固定接点７ａから離間して、中央固定接点７ａと周辺固定接点７ｂとが電気的に遮断されオフ状態となる。
【００４５】
この時、前記収容孔１ａ間を連結する前記連結溝１ｂの連結方向を、収容孔１ａに収容された可動接点３の長尺方向に沿って設けるようにしてあるので、可動接点３の反転時に、可動接点３の幅狭部近傍の第２のシート４の粘着部４ａが、絶縁基板６に付着することがなく、確実な復帰が得られると共に、粘着材４ａが接点内部に入り込むのを防止できる。
【００４６】
このように、上記可動接点３が収容された可動接点付シートを、可動接点３の下端周縁部３ａの当接部３ｅと接触する周辺固定接点７ｂと、可動接点３のドーム状の膨出部３ｃの下面側と対向する中央固定接点７ａとが配設された絶縁基板６上に載置することにより、簡単にシートタイプの押釦スイッチの構成が得られ、上記構成とすることにより信頼性を高め、所望のストロークを確保しつつ小型化が可能な押釦スイッチを提供できる。
【図面の簡単な説明】
【００４７】
【図１】本発明の一実施例である可動接点付シートを示す平面図である。
【図２】本発明の可動接点付シートの収容孔部分を示す要部説明図である。
【図３】本発明の可動接点を示す平面図である。
【図４】本発明の可動接点付シートを示す要部断面図である。
【図５】本発明の可動接点付シートを用いた押釦スイッチを示す長手方向の要部断面図である。
【図６】本発明の可動接点付シートを用いた押釦スイッチを示す短手方向の要部断面図である。
【図７】従来の可動接点付シートを示す分解斜視図である。
【図８】従来の可動接点付シートを用いた押釦スイッチを示す要部断面図である。
【符号の説明】
【００４８】
１：第１のシート
１ａ：周要部
１ｂ：連結溝
２：粘着部
３：可動接点
３ａ：下端周縁部
３ｂ：スカート部
３ｃ：膨出部
３ｄ：開口部
３ｅ：当接部
３ｆ：接点部
４：第２のシート
４ａ：粘着部
５：剥離シート
５ａ：孔
６：絶縁基板
７：固定接点
７ａ：中央固定接点
７ｂ：周辺固定接点
【図１】
2005183140.tif 000003
【図２】
2005183140.tif 000004
【図３】
2005183140.tif 000005
【図４】
2005183140.tif 000006
【図５】
2005183140.tif 000007
【図６】
2005183140.tif 000008
【図７】
2005183140.tif 000009
【図８】
2005183140.tif 000010